(57)【要約】      （修正有）【課題】摩耗したシューの交換を容易かつ安価に行えるエレベータのガイドシューを提供する。【解決手段】エレベータのガイドレールに摺動して乗りかごの昇降を案内するガイドシュー１であって、前記ガイドレールと摺動するシューと、前記シューの外側に配置された防振ゴム２と、前記シュー及び前記防振ゴムとより成るシュー組立体４を前記ガイドレールに沿って挿抜自在に収納する収納部を備えたハウジング５とより成るガイドシューにおいて、前記シューと前記防振ゴムとが別体に成形されていることを特徴とする。【選択図】図１
0003141871.tif 000002
【実用新案登録請求の範囲】
【請求項１】
エレベータのガイドレールに摺動して乗りかごの昇降を案内するガイドシューであって、前記ガイドレールと摺動するシュー（１）と、前記シュー（１）の外側に配置された防振ゴム（２）と、前記シュー（１）及び前記防振ゴム（２）とより成るシュー組立体（４）を前記ガイドレールに沿って挿抜自在に収納する収納部（５１）を備えたハウジング（５）とより成るガイドシューにおいて、前記シュー（１）と前記防振ゴム（２）とが別体に成形されていることを特徴とするガイドシュー。
【請求項２】
前記シュー（１）が３分割されていることを特徴とする請求項１記載のガイドシュー。
【請求項３】
前記３分割されたシュー（１）の形状が各々対象形状であることを特徴とする請求項２記載のガイドシュー。
【請求項４】
前記シュー（１）の前記ガイドレールに沿った両端面及び昇降路側に面した側面が前記防振ゴム（２）により包み込まれていることを特徴とする請求項１〜３いずれか一項記載のガイドシュー。
【請求項５】
前記シュー組立体（４）は、前記ハウジング（５）取付け固定される乗りかご側に挿抜出来るようにしたことを特徴とする請求項１〜４いずれか一項記載のガイドシュー。
【請求項６】
前記ハウジング（５）は、鋼板から成形されていることを特徴とする請求項１〜５いずれか一項記載のガイドシュー。
【考案の詳細な説明】
【技術分野】
【０００１】
本考案は、エレベータの昇降路に設けたガイドレールと摺動して乗りかごの昇降を案内するエレベータのガイドシューに関し、より詳しくは、摩耗したシューの交換を容易かつ安価に行えるように改良されたガイドシューに関する。
【背景技術】
【０００２】
従来、エレベータの昇降路には上下方向に延びるガイドレールが設けられるとともに、乗りかごにはガイドシューが設けられ、ガイドレールにガイドシューが係合して摺動することにより乗りかごの昇降を案内するようになっている。
【０００３】
この種従来のエレベータの昇降案内構造を図１２に基づき説明する。
エレベータの昇降路３には、上下方向（図示する紙面に垂直な方向）に延びるガイドレール６が設けられている。
一方、エレベータの乗りかご７には、ガイドシュー９００が設けられている。
【０００４】
ガイドシュー９００は、厚い鋼鈑をプレス成形したハウジング５００のコ字形断面部分とシュー１００との間に、防振ゴム２００を一体に成形して加硫接着したもので、ボルトによって乗りかご７に固定される。
【０００５】
これにより、シュー１００がガイドレール６と摺動しつつ、防振ゴム２００が振動の発生を防止するので、乗りかご７はガイドレール６に沿って滑らかに昇降することができる。
【０００６】
しかしながら、この種従来のガイドシュー９００においては、シュー１００が摩耗した際、シュー１００が防振ゴム２００を介してハウジング５００と一体に成形されているため、シュー１００を交換するためにはガイドシュー９００の全体を交換しなければならない。
【０００７】
このため、シュー１００の交換に要する費用が嵩んでしまう。
また、ガイドシュー９００をそっくり乗りかご７から取り外さなくてはならず、ガイドレール６付近の狭いスペースでの交換作業は作業性が悪く、ガイドシュー９００の交換に手間が掛かった。
【０００８】
そこで、図１１に示す様な、ハウジング５００と、シュー１００に防振ゴム２００を一体成形したシュー組立体４００とを別体に製作し、シュー１００が摩耗した場合、シュー組立体４００をハウジング５００から取外す態様が提案された。（特開２００１−２６１２５９号公報）
【０００９】
しかし、この種ガイドシューにおいても、シュー１００が摩耗した場合、交換の必要が無い防振ゴム２００を含むシュー組立体４００全体を交換しなければならず、依然として費用が嵩んでしまう。
また、環境保全の観点からも好ましくなかった。
【００１０】
【特許文献１】特開２００１−２６１２５９号公報
【考案の開示】
【考案が解決しようとする課題】
【００１１】
本考案は上記したような事情に鑑みてなされたものであり、上述した従来技術が有する問題点を解消し、摩耗したシューの交換を容易かつ安価に行えるエレベータのガイドシューを提供することにある。
【課題を解決するための手段】
【００１２】
上記目的を達成するために本考案に係るガイドシューにあっては、エレベータのガイドレールに摺動して乗りかごの昇降を案内するガイドシューであって、前記ガイドレールと摺動するシューと、前記シューの外側に配置された防振ゴムと、前記シュー及び前記防振ゴムとより成るシュー組立体を前記ガイドレールに沿って挿抜自在に収納する収納部を備えたハウジングとより成るガイドシューにおいて、前記シューと前記防振ゴムとが別体に成形されていることを特徴とする。
【考案の効果】
【００１３】
本考案は、以下に記載される効果を奏する。
請求項１記載の考案のガイドシューによれば、摩耗したシューの交換を容易かつ安価に行える。
請求項２記載の考案のガイドシューによれば、偏磨耗した部分の一部のシューのみを交換するだけで良く、交換費用を極力低く抑えることが出来る。
【００１４】
請求項３記載の考案のガイドシューによれば、製作費用及び保管費用が極力低く抑えることが出来る。
請求項４記載の考案のガイドシューによれば、組立タイプに係らず、防振ゴムの良好な防振性能を維持出来る。
請求項５記載の考案のガイドシューによれば、シュー組立体の交換が容易である。
請求項６記載の考案のガイドシューによれば、ガイドシュー全体の重量を軽減出来る。
【考案を実施するための最良の形態】
【００１５】
以下、本考案を実施するための最良の形態について説明する。
図１乃至図１０を参照しながら、本考案を実施するための最良の形態について説明する。
図１は、本考案に係るガイドシューの正面図である。
図２は、図１の上面図である。
図３は、図２のＡ−Ａ断面図である。
図４は、本考案に使用されるシューの正面図である。
図５は、図４の側面図である。
図６は、図４の上面図である。
図７は、本考案に使用されるシュー組立体の正面図である。
図８は、図７の上面図である。
図９は、図８のＢ−Ｂ断面図である。
図１０は、本考案に使用されるハウジングの立体斜視図である。
【００１６】
本考案に係るガイドシューは、エレベータのガイドレールに摺動して乗りかごの昇降を案内するガイドシューであって、ガイドレールと摺動するシュー１と、このシュー１の外側に配置された防振ゴム２と、シュー１及び防振ゴム２とより成るシュー組立体４とをガイドレールに沿って挿抜自在に収納する収納部５１を備えたハウジング５とより成り、シュー１と防振ゴム２とが別体に成形されている構成としている。
【００１７】
本考案に使用されるシュー１は、図４乃至図６に示す形状を備えている。
すなわち、超高分子量ポリエチレン材製の板状部材１１の長手方向両端には、テーパー面１２、１２が形成され、両側面には段部１３、１３が設けられている。
そして、この３枚のシュー１は、各々対称形状をしており、図８に示す様に、段部１３を互いに付け合せる形に組立て使用される。
【００１８】
また、図７乃至図９に示す様に、シュー１とは別体に製作された、コ字形状のウレタンゴム等のゴム状弾性材製の防振ゴム２の内側に、３枚のシュー１が配置され、シュー組立体４を形成している。
この防振ゴム２は、シュー１のガイドレール６に沿った両端面及び昇降路３側に面した側面を包み込む形状となっている。
【００１９】
また、図１０に示す様に、ハウジング５は、ＳＰＣＣの様な鋼板からプレス成形により、
シュー組立体４を前記ガイドレールに沿って挿抜自在に収納する収納部５１を形成している。
このハウジング５の３側面には、各々、ハウジング５を乗りかご７側に固定保持するためのボルト孔５３を穿ったフランジ５２が一体形成されている。
そして、図２に示す様に、ハウジング５は、乗りかご７側に固定保持されているブラケット５４にボルト５５により固定される。
【００２０】
シュー１が摩耗した場合は、ボルト５５を取り外し、ガイドシュー全体を乗りかご７側から取り外し、ハウジング５のブラケット５４取付け面側から、シュー組立体４を抜き出し、３枚のシュー１の内、摩耗したシュ−１のみを取り替えて、元に戻すことにより修理が出来る。
【図面の簡単な説明】
【００２１】
【図１】本考案に係るガイドシューの正面図である。
【図２】図１の上面図である。
【図３】図２のＡ−Ａ断面図である。
【図４】本考案に使用されるシューの正面図である。
【図５】図４の側面図である。
【図６】図４の上面図である。
【図７】本考案に使用されるシュー組立体の正面図である。
【図８】図７の上面図である。
【図９】図８のＢ−Ｂ断面図である。
【図１０】本考案に使用されるハウジングの立体斜視図である。
【図１１】従来技術に係るガイドシューの立体斜視図である。
【図１２】従来技術に係るガイドシューの断面図である。
【符号の説明】
【００２２】
１    シュー
２    防振ゴム
３    昇降路
４    シュー組立体
５    ハウジング
６    ガイドレール
７    乗りかご
【図１】
0003141871.tif 000003
【図２】
0003141871.tif 000004
【図３】
0003141871.tif 000005
【図４】
0003141871.tif 000006
【図５】
0003141871.tif 000007
【図６】
0003141871.tif 000008
【図７】
0003141871.tif 000009
【図８】
0003141871.tif 000010
【図９】
0003141871.tif 000011
【図１０】
0003141871.tif 000012
【図１１】
0003141871.tif 000013
【図１２】
0003141871.tif 000014